(57)【要約】      （修正有）【課題】高い視認性を確保すると共に、簡単に外れることのない安全帯用反射帯を提供する。【解決手段】安全帯用反射帯１は、装着時における被装着者の背中側で、命綱を取り付けるための命綱装着部を備えるフルハーネスに取り付けられるものであって、その表面に反射部４が設けられ、長尺帯状の２つの帯部２ａ、２ｂと、２つの帯部２ａ、２ｂを一体とすると共に、命綱装着部を挿通可能な透孔９が設けられるバックル３とを備え、帯部２ａ、２ｂは、短手方向の一方に突出する第１巻付部５と、他方へ突出する第２巻付部６とをそれぞれ複数備え、第１巻付部５と第２巻付部６とは、互いに固定可能な面ファスナー７を備え、第１巻付部５と第２巻付部６とを、フルハーネスに巻き付けて、面ファスナー７で固定する。【選択図】図１
0003229434.tif 000002
【実用新案登録請求の範囲】
【請求項１】
装着時における被装着者の背中側で、命綱を取り付けるための命綱装着部を備える安全帯に取り付けられる安全帯用反射帯であって、
表面に反射部が設けられる長尺帯状の複数の帯部と、
前記複数の帯部を一体に連結すると共に、前記命綱装着部を挿通可能な透孔が設けられるバックルとを備え、
前記帯部は、短手方向の一方に突出する第１巻付部と、他方へ突出する第２巻付部とをそれぞれ複数備え、
前記第１巻付部と前記第２巻付部とは、互いに固定可能な固定手段を備え、
前記第１巻付部と前記第２巻付部とを、前記安全帯に巻き付けて、前記固定手段で固定することを特徴とする安全帯用反射帯。
【請求項２】
前記複数の帯部に、前記第１巻付部と前記第２巻付部とを設けない回避領域を備えることを特徴とする請求項１に記載の安全帯用反射帯。
【請求項３】
前記固定手段は、面ファスナーであることを特徴とする請求項１又は２に記載の安全帯用反射帯。
【考案の詳細な説明】
【技術分野】
【０００１】
本考案は、安全帯用反射帯に関する。
【背景技術】
【０００２】
高所作業時等での安全を確保するため着用する安全帯が知られている。特に、フルハーネスは、高い安全性を確保できるため、近年では、多くの作業現場において採用される傾向にある。従来より、遠方からの視認性を向上させるため、反射材を取り付けた安全ベストの着用が推奨されているが、安全帯とは別に装着する必要があるため、着膨れを起こし、作業に悪影響を及ぼすことがあった。そのため、特許文献１に開示されるような、安全帯に取り付け可能な反射パッドが開示されている。
【先行技術文献】
【特許文献】
【０００３】
【特許文献１】実用新案登録第３１６６６８５号公報
【考案の概要】
【考案が解決しようとする課題】
【０００４】
しかし、特許文献１で開示された反射パッドは、安全帯の一部を覆うものに過ぎず、視認し難い場合があった。また、安全帯のベルトに巻き付けて取り付ける構造であるため、背中側に取り付けた場合等、気づかないうちに反射パッドが外れてしまう可能性があった。
【０００５】
そこで本考案では、高い視認性を確保すると共に、簡単に外れることのない安全帯用反射帯の提供を目的とする。
【課題を解決するための手段】
【０００６】
上記目的を達成するために、請求項１に記載の考案は、装着時における被装着者の背中側で、命綱を取り付けるための命綱装着部を備える安全帯に取り付けられる安全帯用反射帯であって、表面に反射部が設けられる長尺帯状の複数の帯部と、複数の帯部を一体に連結すると共に、命綱装着部を挿通可能な透孔が設けられるバックルとを備え、帯部は、短手方向の一方に突出する第１巻付部と、他方へ突出する第２巻付部とをそれぞれ複数備え、第１巻付部と第２巻付部とは、互いに固定可能な固定手段を備え、第１巻付部と第２巻付部とを、安全帯に巻き付けて、固定手段で固定することを特徴とする。
請求項２に記載の考案は、上記構成において、複数の帯部に、第１巻付部と第２巻付部とを設けない回避領域を備えることを特徴とする。
請求項３に記載の考案は、上記構成において、固定手段は、面ファスナーであることを特徴とする。
【考案の効果】
【０００７】
請求項１に記載の考案によれば、安全帯の多くの部分を覆うため、高い視認性を確保できる。また、複数の第１巻付部及び第２巻付部によって安全帯に取り付けられるため、作業時に気づかないうちに安全帯用反射帯が外れてしまうことがない。
請求項２に記載の考案によれば、上記効果に加え、安全帯への付属品の取り付けを妨げずに安全帯用反射帯の確実な取り付けが可能となる。
請求項３に記載の考案によれば、上記効果に加え、安全帯へ容易に取り付けられる。
【図面の簡単な説明】
【０００８】
【図１】本考案の安全帯用反射帯の表面を示す説明図である。
【図２】本考案の安全帯用反射帯の裏面を示す説明図である。
【図３】安全帯用反射帯を安全帯に取り付けた状態を示す説明図である。
【考案を実施するための形態】
【０００９】
以下、本考案の実施例の形態を図面に基づいて説明する。
図１は、本考案の安全帯用反射帯の表面を示す説明図である。図２は、本考案の安全帯用反射帯の裏面を示す説明図である。
安全帯用反射帯１は、フルハーネスに取り付けられるものである。図１及び２に示すように、長尺帯状の帯部２ａ，２ｂを備え、帯部２ａ，２ｂは、バックル３によって略Ｘ字状に一体として設けられている。ここでは、バックル３を基点に、帯部２ａ，２ｂが長くなる側を肩側とし、短くなる側を腰側とする。
【００１０】
帯部２ａは、表面に、光を反射する素材によって形成される帯状の反射部４を備える。また、帯部２ａは、その短手方向の一方に突出する第１巻付部５を複数備え、他方に突出する第２巻付部６を複数備える。第１巻付部５と第２巻付部６とは、一対として、帯部２ａの長尺方向において、同等の位置に設けられる。なお、第１巻付部５及び第２巻付部６は、四角形状であり、設けられる位置によって、その大きさが異なっている。第１巻付部５の裏面及び第２巻付部６の表面には、互いに固定可能な固定手段として、面ファスナー７が備えられる。また、肩側において、第１巻付部５及び第２巻付部６を設けない回避領域８が形成されている。
帯部２ｂにおいても、帯部２ａと同様に、反射部４、第１巻付部５、第２巻付部６及び回避領域８が設けられている。
バックル３は、プラスチックなどの任意の材質により形成され、その中央付近に、四角形状の透孔９を備える。
【００１１】
安全帯用反射帯１は、図３に示すように、安全帯としてのフルハーネス１０に取り付けられる。
フルハーネス１０は、被装着者の装着時における背中側に、命綱を取り付けるための命綱装着部１１を備える。
安全帯用反射帯１のフルハーネス１０への取り付けは、フルハーネス１０の命綱装着部１１を透孔９に挿通した後、フルハーネス１０に、第１巻付部５と第２巻付部６とを巻き付け、それぞれに備えられた面ファスナー７によって固定することで行われる。
安全帯用反射帯１は、図３に示すように、フルハーネス１０の多くの部分を覆うため、反射部４により高い視認性を確保できる。
また、複数の第１巻付部５及び第２巻付部６を設けたことにより、仮にいずれかの第１巻付部５と第２巻付部６との固定が解除されてしまっても、他の第１巻付部５及び第２巻付部６によってフルハーネス１０への取付状態が維持されるため、作業時に気づかないうちに安全帯用反射帯１が外れてしまうことがない。
さらに、肩側に回避領域８を設けたことで、フルハーネス１０への付属品１０ａの取り付けを妨げることがない。
【００１２】
上記形態の安全帯用反射帯１は、装着時における被装着者の背中側で、命綱を取り付けるための命綱装着部１１を備えるフルハーネス１０に取り付けられるものであって、その表面に反射部４が設けられ、長尺帯状の２つの帯部２ａ，２ｂと、２つの帯部２ａ，２ｂを一体とすると共に、命綱装着部１１を挿通可能な透孔９が設けられるバックル３とを備え、帯部２ａ，２ｂは、短手方向の一方に突出する第１巻付部５と、他方へ突出する第２巻付部６とをそれぞれ複数備え、第１巻付部５と第２巻付部６とは、互いに固定可能な面ファスナー７を備え、第１巻付部５と第２巻付部６とを、フルハーネス１０に巻き付けて、面ファスナー７で固定する。
このように構成された安全帯用反射帯１によれば、フルハーネス１０の多くの部分を覆うため、高い視認性を確保できる。また、複数の第１巻付部５及び第２巻付部６によってフルハーネス１０に取り付けられるため、作業時に気づかないうちに安全帯用反射帯１が外れてしまうことがない。
【００１３】
また、２つの帯部２ａ，２ｂに、第１巻付部５と第２巻付部６とを設けない回避領域８を備える。
よって、フルハーネス１０への付属品１０ａの取り付けを妨げずに安全帯用反射帯１の確実な取り付けが可能となる。
【００１４】
以上は、本発明を図示例に基づいて説明したものであり、その技術範囲はこれに限定されるものではない。例えば、帯部の本数は、装着する安全帯の形状に合わせて任意に設定可能であり、肩側に２本、腰側に１本として、バックルにより略Ｙ字状となるようにしても良い。
また、透孔の形状は、命綱装着部を挿通可能であれば良く、任意の形状を設定できる。
また、第１巻付部と第２巻付部とは、面ファスナー以外にも、スナップボタン等の任意の固定手段により固定されるようにしても良い。
また、回避領域は、任意の位置に形成して良いし、複数設けられても良い。
【符号の説明】
【００１５】
１・・安全帯用反射帯、２ａ，２ｂ・・帯部、３・・バックル、４・・反射部、５・・第１巻付部、６・・第２巻付部、７・・面ファスナー（固定手段）、８・・回避領域、９・・透孔、１０・・フルハーネス（安全帯）、１１・・命綱装着部。
【図１】
0003229434.tif 000003
【図２】
0003229434.tif 000004
【図３】
0003229434.tif 000005